(57)【要約】  シート（５）と、処理状態と移送状態をとる原材料ホルダ（１３）と、シート内の作用位置をとり、シートから取り外しできるサービスユニット（２０、３０）とを備える飲料調製機。サービスユニットの位置を機械的に検出して、サービスユニットがその作用位置から外れるときに、原材料ホルダがその処理状態をとることを機械的に防止するため、および／または、原材料ホルダの状態を機械的に検出して、原材料ホルダがその処理状態にあるときに、シートからのサービスユニットの取り外しを機械的に防止するために、機械的ロック装置（５３）が設けられる。【選択図】図２
2013517026.tif 000002
【特許請求の範囲】
【請求項１】
シート（５）と、
内部に収容される原材料を処理するための処理状態と、前記原材料を内部へ挿入するためおよび／または前記原材料を内部から排出するための移送状態とをとる原材料ホルダ（１３）と、
消費された原材料を前記原材料ホルダから収集するためおよび／または消費可能な原材料を前記原材料ホルダへ供給するために前記シート内の作用位置をとり、消費された原材料を取り除いて空にするためおよび／または消費可能な原材料を再充填するために前記シートから取り外しできるサービスユニット（２０、３０）と、
を備える飲料調製機において、
前記サービスユニットの位置を機械的に検出して、前記サービスユニットが前記作用位置から外れるとき、特に前記サービスユニットが前記シートから取り外されるときに、前記原材料ホルダが前記処理状態をとることを機械的に防止するため、および／または、
前記原材料ホルダの状態を機械的に検出して、前記原材料ホルダが前記処理状態にあるとき、特に前記原材料ホルダが前記移送状態から外れるときに、前記シートからの前記サービスユニットの取り外しを機械的に防止するために、
機械的ロック装置（５３）が設けられることを特徴とする、飲料調製機。
【請求項２】
前記原材料ホルダ（１３）が、前記原材料を受けるための原材料チャンバ（１４）を画定する第１の部分（１３１）および第２の部分（１３２）を有し、前記第１の部分が、前記処理状態をとるように前記第２の部分へ移動できるとともに、前記移送状態をとるように前記第２の部分から離れるように移動できる、請求項１に記載の飲料調製機。
【請求項３】
前記機械的ロック装置（５３）が、移動可能な前記第１の部分（１３１）に連結される第１のリンク部材（５３１ａ）を備え、前記第１のリンク部材が、随意的に、カム・カム従動子構造（５１、５３１ａ）によって、移動可能な前記第１の部分に連結され、前記第１のリンク部材が、
前記サービスユニット（２０、３０）が前記作用位置から外れていることが前記機械的ロック装置により検出されると、移動可能な前記第１の部分が前記処理状態に達することを阻止する、および／または、
前記サービスユニットを前記作用位置で前記機械的ロック装置によりブロックするために、移動可能な前記第１の部分が前記処理状態にあるときを検出する、
ようになっている、請求項２に記載の飲料調製機。
【請求項４】
前記機械的ロック装置（５３）が、前記サービスユニット（２０、３０）に連結され、または連結可能な第２のリンク部材（５３２ａ）を備え、前記第２のリンク部材が、随意的に、取り外し可能な前記サービスユニット（２０、３０）にカム・カム従動子構造（５２、５３２ａ）によって連結され、前記第２のリンク部材が、
移動可能な前記第１の部分（１３１）が前記処理状態にあるときに、前記サービスユニットを前記作用位置でブロックし、および／または、
移動可能な前記第１の部分が前記処理状態に達するのを前記機械的ロック装置によって阻止するために、前記サービスユニットが前記作用位置から外れているときを検出する、
ようになっている、請求項１〜３のいずれか一項に記載の飲料調製機。
【請求項５】
前記機械的ロック装置（５３）が、機械的に相互接続される第１および第２のリンク部材（５３１ａ、５３２ａ）を備え、前記第１のリンク部材が、特にカム・カム従動子第１構造（５１、５３１ａ）によって前記原材料ホルダ（１３）に機械的に連結され、前記第２のリンク部材が、特にカム・カム従動子第２構造（５２、５３２ａ）によって前記サービスユニット（２０、３０）に機械的に連結可能である、請求項１〜４のいずれか一項に記載の飲料調製機。
【請求項６】
前記第１のリンク部材（５３１ａ）が、前記原材料ホルダを前記処理状態から前記移送状態に、及びその逆に変えることによって前記第１および第２のリンク部材（５３１ａ、５３２ａ）の動きが引き起こされるように、前記原材料ホルダ（１３）に機械的に連結される、請求項５に記載の飲料調製機。
【請求項７】
前記第２のリンク部材（５３２ａ）が、前記サービスユニットを前記シート（５）内の前記作用位置に移動させおよび該作用位置から移動させることによって前記第１および第２のリンク部材（５３２ａ、５３１ａ）の動きが引き起こされるように、前記サービスユニット（２０、３０）に機械的に連結され、または連結可能である、請求項５または６に記載の飲料調製機。
【請求項８】
前記第１および第２のリンク部材（５３１ａ、５３２ａ）が通常強固に相互接続され、前記機械的ロック装置（５３）が、随意的に、前記第１および第２のリンク部材と一体の単一構成要素から形成される、請求項５〜７のいずれか一項に記載の飲料調製機。
【請求項９】
前記機械的ロック装置（５３）が、特に前記機械的ロック装置と前記シートの側壁など前記シートの壁との間のカム・カム従動子構造（５３’）によって、前記シート（５）に回動可能に、および／または並進可能に取り付けられる、請求項１〜８のいずれか一項に記載の飲料調製機。
【請求項１０】
前記サービスユニット（２０、３０）が、該サービスユニットが前記シート（５）から取り外されて前記シートへ再挿入されるまで、前記原材料ホルダ（１３）を前記移送状態でロックするための位置に前記機械的ロック装置（５３）をロックするようになっている、請求項１〜９のいずれか一項に記載の飲料調製機。
【請求項１１】
前記原材料ホルダ（１３）を前記移送状態でロックする位置に前記機械的ロック装置（５３）を保持するための、特に前記シート（５）に固定されるリテーナ（５３４）を備え、随意的に、前記サービスユニット（２０、３０）が、該サービスユニットが前記シートから引き出されるときに、前記機械的ロック装置を前記リテーナに推し進めるため、および／または前記サービスユニットの前記シート内への再挿入によって、前記機械的ロック装置を前記リテーナから離間させるように推し進めるためのガイド部材（５３５）を有する、請求項１０に記載の飲料調製機。
【請求項１２】
前記サービスユニット（２０、３０）が、手動で前記作用位置に移動できるとともに前記シート（５）から取り外すことができ、および／または、前記原材料ホルダ（１３）が、特にユーザハンドル（１１）を介して、前記処理状態から前記移送状態に、及びその逆に手動で遷移されるようになっている、請求項１〜１１のいずれか一項に記載の飲料調製機。
【請求項１３】
前記サービスユニット（２０、３０）が、廃液および／または廃棄固体原材料を収集する、および／または、消費可能な液体および／または固体原材料を供給するようになっている、請求項１〜１２のいずれか一項に記載の飲料調製機。
【請求項１４】
前記サービスユニット（２０、３０）が、
水、ミルク、茶葉、挽いたコーヒーまたはインスタントコーヒー、濃縮物、または、乾燥スープ、シロップ、粉末チョコレートなどの消費可能な液体および／または固体原材料を前記原材料ホルダへ供給する、および／または、
水、余剰飲料、および／または、消費された原材料などの廃液および／または廃棄原材料を前記原材料ホルダから収集する、
ようになっている、請求項１３に記載の飲料調製機。
【請求項１５】
前記原材料ホルダ（１３）が、前記原材料が内部に収容されるカプセルを受け、収容し、および、排出するようになっている、請求項１〜１４のいずれか一項に記載の飲料調製機。
【発明の詳細な説明】
【技術分野】
【０００１】
本発明の分野は、飲料調製機、特に飲料調製機に対して供給されるカプセル内の事前に小分けされた飲料原材料から飲料を調製するための飲料調製機用の浸出ユニットとサービスユニットに関する。サービスユニットは、飲料調製機の動作中に発生する廃棄材料を収集するための構造を含んでもよく、または特に水などの原材料を供給してもよい。
【０００２】
本明細書本文の目的において、「飲料」は、茶、コーヒー、ホットチョコレートまたは冷たいチョコレート、ミルク、スープ、ベビーフードなどの任意の液体食品を含むことを意図されている。「カプセル」は、原材料を収容する柔軟ポッドまたは硬質カートリッジを含む、任意の形状および構造を成す任意の材料の囲繞パッケージ、特に気密パッケージ、例えばプラスチックパッケージ、アルミニウムパッケージ、リサイクル可能なおよび／または生分解可能なパッケージ内の任意の事前に小分けされた飲料原材料を含むことを意図されている。
【背景技術】
【０００３】
飲料調製機は、家庭内またはオフィス内を問わず、非常にポピュラーになってきている。例えば、コーヒー、茶、スープ、または、他の同様の飲料などの飲料の調製のための飲料調製機であって、所望の飲料、例えば挽いたコーヒーなどの少なくとも１つの原材料がカプセル内で飲料調製機のカプセル抽出チャンバ内へ供給される飲料調製機が存在する。
【０００４】
原材料は、一般に、液体源からカプセル抽出チャンバを通じて飲料調製機内で循環される水などの液体によって抽出される。抽出された原材料を含む液体は、抽出チャンバから、飲料調製機の飲料出口を介してユーザに分配され、例えば飲料抽出プロセス中に出口の下側に適切に配置されたユーザのカップ内またはマグカップ内へ分配される。
【０００５】
飲料の調製のためのプラスチックカプセルおよび／またはアルミニウムカプセルなどのカプセルの使用は多くの利点を有する。カプセル、特にアルミニウム系のカプセルは、密封または気密であり、したがって、原材料の使用前に、空気、湿気、または光などの環境から長期間にわたって飲料原材料を効果的に保護できる。そのため、そのようなカプセルは、原材料の早期の劣化を防止する。また、飲料原材料のカプセルは、取り扱いが容易で、衛生的であり、また、それらのカプセルの使用は飲料調製機の洗浄を殆ど伴わず、特に、飲料調製機の抽出チャンバのかなりの部分が、抽出プロセス中にカプセル内に収容される飲料原材料と接触しない。また、使用中、任意の残存する廃棄原材料の大部分がカプセル内に閉じ込められ、それにより、一般に、使用後に、緩い廃棄原材料を飲料調製機から取り除く必要がない。
【０００６】
カプセルは、通常、カプセルスタックから飲料調製機の抽出チャンバ内に手作業であるいは自動的に個別に挿入される。その後、カプセル内に収容される原材料を浸出しあるいはさもなければ抽出して所望の飲料を形成するために、熱水または冷水がカプセルに通される。調製された飲料は、飲料調製機の出口を介して、ユーザのカップ、マグカップ、または、他の容器内へ供給される。
【０００７】
抽出に際して、使用済みカプセルは、それぞれの調製サイクル後、飲料調製機から個別に除去されてもよい。あるいは、使用済みカプセルは、飲料調製機の使用済みカプセル容器に排出されて該容器に収集されてもよい。
【０００８】
飲料調製機には、飲料調製プロセス中に発生した廃棄材料を処理するためのサービスユニットが設けられるのが有益である。廃棄材料は、抽出後の挽いたコーヒーなどの廃棄原材料、および／または、液体源と飲料出口との間の液体回路から排出される液体、または、例えば、飲料調製プロセスの終わりで液滴の形態で飲料出口から分配される過剰な飲料を含む。例えば、サービスユニットは、配管網などの液体排出構造を備えるユーザ容器支持体、および、廃棄原材料保持構造のうちの少なくとも１つを有する廃液収集構造を含む。一般に、ユーザ容器支持体および／または廃棄原材料保持構造は廃液収集構造よりも上側に配置されており、そのため、廃液を重力によって、ユーザ容器支持体および／または廃棄原材料保持構造から廃液収集構造へ排出することができる。
【０００９】
使用済みカプセル容器は、抽出の際、カプセルが重力によって容器内に落ちるようにカプセルチャンバの下側に配置されるのが有益である。後者の場合には、満杯時にユーザによって容器を空にしなければならない。容器は、一般に抽出チャンバの下側で飲料調製機内に配置される取り外し可能な容器であってもよい。
【００１０】
飲料調製機のサービスユニットは、例えば、欧州特許第１０９５６０５号明細書、欧州特許第１７３１０６５号明細書、欧州特許第１８６７２６０号明細書、国際公開第２００９／０１３７７８号、国際公開第２００９／０７４５５９号、および、国際公開第２００９／１３５８６９号に開示されている。そのようなサービスユニットは、例えば、欧州特許第１０９５６０５号明細書、欧州特許第１６４６３０５号明細書、欧州特許第１７５７２１２号明細書、欧州特許第１８５９７１３号明細書、欧州特許第１８５９７１４号明細書、欧州特許第２１０３２３６号明細書、欧州特許第２１１９３８５号明細書、国際公開第２００９／０４３６３０号、および、国際公開第２００９／１３００９９号に開示されるように、再開放時に使用済みカプセルを自動的に排出するようになっている浸出ユニットと好適に組み合わされる。
【００１１】
通常、飲料調製機は、そのようなサービスユニットを受けるためのシート（ｓｅａｔ）を有する。シートは、飲料調製機のハウジングの内側に配置されるとともに、サービスユニットをスライドさせて飲料調製機に対して出し入れできるように構成される。
【発明の概要】
【発明が解決しようとする課題】
【００１２】
ユーザが飲料調製プロセスを開始しようとする際に、サービスユニットが飲料調製機内に不適切に挿入されると、または、更にはサービスユニットが飲料調製機内へ全く挿入されないと問題が生じる場合がある。そのような状況では、飲料調製プロセス中に廃棄原材料または廃液が不適切に収集されて飲料調整機内を汚すおそれがある。同様に、ユーザが飲料調製プロセス中に飲料調製機内でのサービスユニットの適切な位置決めを誤って妨げることにより、同様の結果をもたらす場合がある。
【００１３】
解決策は、飲料調製機内へのサービスユニットの適切な挿入と抽出チャンバの装填状態とを検出するため、および、サービスユニットが飲料調製機内へ適切に挿入されないときに飲料調製プロセスを電子的に妨げるとともに抽出チャンバが依然として満杯であるときにサービスユニットの回収を防止するためのセンサおよび電子的に制御されるロックシステムの実装を含む。そのような電子センサおよびロックシステムは比較的高価である。そのため、これらのシステムは、通常、小規模または中規模な商業レベルの飲料調製機には設けられない。
【００１４】
サービスユニットと抽出プロセスとの協調性を向上させるための、安価で簡単な解決策を提供する必要性が依然としてある。
【課題を解決するための手段】
【００１５】
したがって、本発明は、
シートと、
内部に収容される原材料を処理するための処理状態と、原材料を内部へ挿入するためおよび／または原材料を内部から排出するための移送状態とをとる原材料ホルダ、特に浸出ユニットと、
消費された原材料を原材料ホルダから収集するためおよび／または消費可能な原材料を原材料ホルダへ供給するためにシート内の作用位置をとり、消費された原材料を取り除いて空にするためおよび／または消費可能な原材料を再充填するためにシートから取り外しできるサービスユニットと、
を備える飲料調製機に関する。
【００１６】
一般に、移送状態は、消費可能な原材料をこの原材料を処理して飲料を調製する前に原材料ホルダ内に充填するのに適しており、および／または、処理後に任意の残存する消費された原材料を原材料ホルダから除去するのに適している。
【００１７】
原材料ホルダは、この原材料が内部に収容されるカプセルを受け、収容し、および、排出するようになっていてもよい。
【００１８】
例えば、飲料調製機は、コーヒー、茶、チョコレート、または、スープ調製機、例えば、家庭またはオフィスのコンセント電源に電気的に接続され得る自給式卓上機である。特に、飲料調製機は、挽いたコーヒーまたは茶またはチョコレートまたはカカオまたは粉ミルクなどの調製されるべき飲料の原材料を収容するカプセルに、熱水または冷水あるいは他の液体を通すことにより、原材料ホルダ内で飲料を調製するようになっている。
【００１９】
例えば、調製機は、１つ以上の液体リザーバ、液体循環回路、ヒータ、ポンプ、および、抽出のために原材料カプセルを受けて抽出に際してカプセルを排出するようになっている、飲料調製ユニットを含む原材料ホルダと、カプセルが調製ユニットから排出されるシート内に通じる開口を有するハウジングと、シートに排出されるカプセルを所定の充填レベルまで内部に収集するための格納空間を形成するキャビティを有する容器とを備える。容器は、カプセルを収集するためにシート内に挿入可能であるとともに、収集されたカプセルを取り除いて空にするためにシートから取り外し可能である。そのような原材料処理装置の例は、国際公開第２００９／０７４５５０号、国際公開第２００９／１３００９９号、および、国際出願ＥＰ０９／０５３１３９号明細書に開示されている。
【００２０】
飲料調製モジュールは、以下の構成要素、すなわち、
ａ）この飲料の原材料、特に、カプセル内に供給された事前に小分けされた原材料を受けるとともに、入ってくる液体、例えば水の流れを該原材料に通して飲料出口に案内するための、浸出ユニットなどの原材料ホルダ；
ｂ）原材料ホルダへ供給されるべきこの液体の流れを加熱するためのサーモブロックなどのインラインヒータ；
ｃ）インラインヒータを通じてこの液体を圧送するためのポンプ；
ｄ）この液体を液体タンクなどの液体源から飲料出口に案内するための１つ以上の流体接続部材；
ｅ）ユーザからインタフェースを介して命令を受けて、インラインヒータおよびポンプを制御するための、特にプリント回路基板（ＰＣＢ）を備える電気制御ユニット；および、
ｆ）原材料ホルダ、インラインヒータ、ポンプ、液体リザーバ、原材料収集器、この液体の流れ、この液体の圧力、および、この液体の温度の特性から選択される少なくとも１つの動作特性を検出するとともに、そのような特性を制御ユニットへ通信するための１つ以上の電気センサ、
のうちの１つ以上を含んでもよい。
【００２１】
ヒータは、サーモブロック、または、オンデマンドヒータ（ＯＤＨ）、例えば欧州特許第１２５３８４４号明細書、欧州特許第１３８０２４３号明細書、および、欧州特許第１８０９１５１号明細書に開示されるＯＤＨタイプであってもよい。
【００２２】
本発明によれば、機械的ロック装置は、
サービスユニットの位置を機械的に検出して、サービスユニットが作用位置から外れるとき、特にサービスユニットがシートから取り外されるときに、原材料ホルダが処理状態をとることを機械的に防止するため、および／または、
原材料ホルダの状態を機械的に検出して、原材料ホルダが処理状態にあるとき、特に原材料ホルダが移送状態から外れるときに、シートからのサービスユニットの取り外しを機械的に防止するために、
設けられる。
【００２３】
そのため、従来技術の電子的な検出、電子的なロック構造および制御構造の代わりに、サービスユニットが飲料調製機内に適切に位置決めされておらず飲料調製機が飲料調製を行う状態にないとき、例えば、廃棄材料収集器または水タンクなどの原材料供給部がその作用位置にないときに、飲料調製の開始を防止し、および／または、例えば飲料調製機が依然としてプロセス中の状態、あるいは飲料を調製する状態でそのようなサービスユニットの早期の取り外しを防止するために、簡単な完全機械式のロック装置が設けられる。
【００２４】
そのため、サービスユニットがシートから引き出される前に、ユーザは、サービスユニットを空にする前に原材料ホルダが空にされることを確かめるように、特に、カプセルが原材料ホルダ内に残っておらず、また、最後に使用されたカプセルが適切にサービスユニットへ排出されたことを確かめるように促されてもよい。特に使用済み原材料カプセルによりサービスユニットが詰まるのを回避するために、サービスユニットは、例えばその内容が参照することにより本願に組み込まれる国際公開第２００９／０７４５５９号および国際公開第２００９／１３５８６９号に開示されるように、詰まり防止システムを搭載してもよい。
【００２５】
ロック装置は、１つの引き出しの移動可能性が、他の引き出しの位置に依存するように構成される幾つかの引き出しを有するキャビネットの分野で知られるタイプのものであってもよい。この種の技術は、例えば米国特許第４，９６０，３０９号明細書、米国特許第５，０５６，８７６号明細書等に開示されるように、文書、衣服、および、他の物品を格納するためのオフィスまたは家庭の家具の分野で良く知られている。このタイプのロック装置は、飲料調製機の分野に適合させて転用することができる。本発明との関連で、従来技術の開閉可能な引き出しは、理論上、処理状態から移送状態に及びその逆に遷移され得る原材料ホルダと、挿入可能で取り外し可能なサービスユニットとによって置き換えられる。無論、同じタイプの他の形態がこのロック機能を提供することができる。
【００２６】
原材料ホルダは、一般に、原材料を受けるための原材料チャンバを画定する第１の部分および第２の部分を有し、第１の部分は、処理状態をとるように第２の部分へ向けて移動できるとともに、移送状態をとるように第２の部分から離れるように移動できる。適した原材料ホルダの例は、欧州特許第１０９５６０５号明細書、欧州特許第１６４６３０５号明細書、欧州特許第１７５７２１２号明細書、欧州特許第１８５９７１３号明細書、欧州特許第１８５９７１４号明細書、欧州特許第２１０３２３６号明細書、欧州特許第２１１９３８５号明細書、国際公開第２００９／０４３６３０号、および、国際公開第２００９／１３００９９号に開示されている。
【００２７】
例えば、機械的ロック装置は、移動可能な第１の部分に連結される第１のリンク部材を備え、第１のリンク部材は、
サービスユニットが作用位置から外れていることが機械的ロック装置により検出されると、移動可能な第１の部分が処理状態に達することを阻止する、および／または、
サービスユニットを作用位置で機械的ロック装置によりブロックするために、移動可能な第１の部分が処理状態にあるときを検出する、
ようになっている。
【００２８】
通常、移動可能な第１の部分は、ロック装置の第１のリンク部材に接続される協働する第１のリンク構造を有する。協働する第１のリンク構造は、移動可能な第１の部分に組み付けられおよび／または移動可能な第１の部分と一体に形成される部材の形態を成してもよい。例えば、第１のリンク部材は、カム・カム従動子構造によって移動可能な第１の部分に連結される。
【００２９】
機械的ロック装置は、サービスユニットに連結され、または連結可能な第２のリンク部材を備えてもよく、第２のリンク部材は、
移動可能な第１の部分が処理状態にあるときにサービスユニットを作用位置でブロックし、および／または、
移動可能な第１の部分が処理状態に達するのをロック装置によって阻止するために、サービスユニットが作用位置から外れているときを検出する、
ようになっている。
【００３０】
一般に、サービスユニットが飲料調製機のシート内に配置されると、第２のリンク部材がサービスユニットに連結され、該リンク部材は、サービスユニットがシートから取り外されるときにサービスユニットから外されるが、シート内へのサービスユニットの再挿入によってサービスユニットに連結可能である。
【００３１】
通常、サービスユニットは、ロック装置の第２のリンク部材に接続される協働する第２のリンク構造を有する。協働する第２のリンク構造は、サービスユニットに組み付けられおよび／またはサービスユニットと一体に形成される部材の形態を成してもよい。例えば、第２のリンク部材は、取り外し可能なサービスユニットにカム・カム従動子構造によって連結される。
【００３２】
ある実施形態において、機械的ロック装置は、機械的に相互接続される第１および第２のリンク部材を備え、第１のリンク部材が、特にカム・カム従動子第１構造によって、原材料ホルダに機械的に連結され、第２のリンク部材が、特にカム・カム従動子第２構造によって、サービスユニットに機械的に連結可能である。第１のリンク部材は、原材料ホルダを処理状態から移送状態に、及びその逆に変えることによって第１および第２のリンク部材の動きが引き起こされるように、原材料ホルダに機械的に連結されてもよい。第２のリンク部材は、サービスユニットをシート内の作用位置に移動させおよび該作用位置から移動させることによって第１および第２のリンク部材の動きが引き起こされるように、サービスユニットに機械的に連結され、または連結可能であってもよい。第１および第２のリンク部材がほぼ強固に相後接続され、それにより、リンク部材間の僅かな撓みを許容でき、特に弾性的な撓みを許容できる。随意的に、機械的ロック装置は、第１および第２のリンク部材と一体の単一構成要素から形成される。
【００３３】
機械的ロック装置は、特に機械的ロック装置とシートの側壁など壁との間のカム・カム従動子構造によって、シートに回動可能におよび／または並進可能に取り付けることができる。
【００３４】
サービスユニットは、該サービスユニットがシートから取り外されてシートへ再挿入されるまで、原材料ホルダを移送状態でロックするための位置に機械的ロック装置をロックするようになっていてもよい。例えば、飲料調製機は、原材料ホルダを移送状態でロックする位置にロック装置を保持するための、特にシートに固定されるリテーナを備える。随意的に、サービスユニットは、該サービスユニットがシートから引き出されるときに、機械的ロック装置をリテーナに推し進めるため、および／またはサービスユニットのシート内への再挿入によって機械的ロック装置をリテーナから離間させるように推し進めるためのガイド部材を有する。
【００３５】
通常、サービスユニットは、作用位置に手動で移動できるとともにシートから手動で取り外すことができる。同様に、原材料ホルダは、処理状態から移送状態に及びその逆に手動で遷移されるようになっていてもよい。例えば、原材料ホルダは、該ホルダを処理状態から移送状態に、及びその逆に遷移させるためのユーザハンドルと関連付けられる。
【００３６】
サービスユニットおよび／または原材料ホルダは、特に１つ以上のモータを使用することにより自動で駆動されてもよい。
【００３７】
サービスユニットは、廃液および／または廃棄固体原材料を収集する、および／または、消費可能な液体および／または固体原材料を供給するようになっていてもよい。
【００３８】
例えば、サービスユニットは、
例えば欧州特許第１９００３１２号明細書または欧州特許第１９１３８５１号明細書に開示されるような機械内部の液体排出構造からの水などの廃棄飲料液体原材料、
随意的に事前小分けカプセル内、例えば使用済みコーヒーカプセル内に収容される使用済みの飲料香料、特に挽いたコーヒーなどの廃棄飲料固体原材料、および、
飲料分配出口からの液滴または原材料処理後に移送状態に遷移する際に原材料ホルダから流れ落ちる液滴などの廃棄飲料、
のうちの少なくとも１つを収集するための構造を含む。
【００３９】
そのような収集機能を与えるサービスユニットの例は、欧州特許第１０９５６０５号明細書、欧州特許第１７３１０６５号明細書、欧州特許第１８６７２６０号明細書、国際公開第２００９／１３５８６９号、および、国際公開第２００９／０７４５５９号に開示されており、これらの内容は参照することにより本願に組み込まれる。
【００４０】
サービスユニットは、水、ミルク、茶葉、挽いたコーヒーまたはインスタントコーヒー、濃縮物、または、乾燥スープ、シロップ、粉末チョコレートなどの消費可能な液体および／または固体原材料を原材料ホルダへ供給するようになっていてもよい。例えば、サービスユニットは、例えば欧州特許第１４４７０３４号明細書および欧州特許第１９４３９３１号明細書の場合のように、水またはミルク供給リザーバ、あるいは、原材料供給システムを備える。
【００４１】
ここで、概略図を参照して、本発明について説明する。
【図面の簡単な説明】
【００４２】
【図１】本発明に係る飲料調製機の全体図である。
【図２】本発明に係る同様の飲料調製機の全体図である。
【図３ａ】本発明に係る飲料調製機のロック装置を伴うサービスユニットおよび原材料チャンバの一位置の側面図を概略的に示している。
【図３ｂ】本発明に係る飲料調製機のロック装置を伴うサービスユニットおよび原材料チャンバの他の位置の側面図を概略的に示している。
【図３ｃ】本発明に係る飲料調製機のロック装置を伴うサービスユニットおよび原材料チャンバの更に他の位置の側面図を概略的に示している。
【図４ａ】図３ａに示される飲料調製機の対応する状態のロック要素の正面図を概略的に示している。
【図４ｂ】図３ｂに示される飲料調製機の対応する状態のロック要素の正面図を概略的に示している。
【図４ｃ】図３ｃに示される飲料調製機の対応する状態のロック要素の正面図を概略的に示している。
【発明を実施するための形態】
【００４３】
図１は本発明に係る飲料調製機を示している。飲料調製機は飲料調製ユニット２をハウジング９内に有する。ユニット２は、原材料カプセルを抽出チャンバ内で受けるようになっているとともに、水などの液体をカプセルへ供給するようになっている。ユニット２は、プラットフォーム１に取り付けられて、該プラットフォームの側面１’に沿って延びる。飲料をユニット２から分配するための飲料出口９５がハウジング９の前面９４を貫通して延びる。
【００４４】
ユニット２は、開閉ハンドル１１と、物質を収容するカプセル、例えばコーヒーカプセルを保持するための原材料ホルダ（図示せず）とを備える浸出モジュールと、飲料ダクトなどの飲料供給手段９５とを含む。原材料ホルダは、一般に、抽出チャンバを画定するカプセルホルダ・浸出ケージと、カプセル内に水を注入するための流体注入システムと、レバー・ニージョイント機構などの閉塞装置とを備える。適した抽出モジュールは例えば欧州特許第１８５９７１３号明細書に記載されている。ユニット２の更なる想定し得る特徴は、同時係属出願、欧州特許第２０７０４５４号明細書で更に詳しく論じられており、その内容は、参照することにより本願に組み込まれる。
【００４５】
また、ハウジング９は、廃液および／または廃棄飲料原材料などの廃棄材料を収集するためのサービスユニット２０、３０をシート５内に収容する。サービスユニット２０、３０は、廃棄材料を収集するための収集位置に達するようにシート５内へ手動で挿入できる（図１に示される）とともに、廃棄材料の回収に際して廃棄材料を空にするためにシート５から取り外すことができる（図２に示される）。サービスユニット２０、３０は、スライドしてシート５内へ入ることができるとともに、スライドしてシート５から抜け出ることができる。
【００４６】
このサービスユニットは、前面３１を有するとともに、浸出ユニットおよび出口９５の下側に取り外し可能に挿入される、使用済みカプセル容器３０を含む。サービスユニット２０、３０およびそのハウジング９のシートについては、図２〜図４ｃと関連して更に詳しく説明する。
【００４７】
プラットフォーム１は、飲料ユニット２と、ハウジング９の外部でベースプラットフォームに取り付けられてハウジング９の後壁に隣接する水タンク７と、これらの間の流体接続部と、コンセント電源への電源接続部とを有する。
【００４８】
飲料調製機をＯＮ／ＯＦＦするためにマスタースイッチ３がプラットフォーム１に設けられる。一般に調製されるべき飲料の量を大小で選択するための２つのユーザボタン１２が、ユニット２の上側に配置される。
【００４９】
プラットフォーム１の上面３４は、ミルク起泡装置８を接続するためのＳＴＲＩＸ（商標）コネクタの形態を成す手段を有する。そのようなプラットフォーム１および起泡装置８のためのそのような取り外し可能なコネクタは、例えば、国際公開第０３／０７５６２９号、国際公開第２００８／０４６８３７号、および、国際公開第２００８／１４２１５４号に更に詳しく開示されており、それらの内容は参照することにより本願に組み込まれる。
【００５０】
上面３４は隣り合う前面３５に隣接しており、前面３５は、特にプラットフォーム１に組み込まれる加熱システムと関連付けることができるとともに、１つ以上のカップまたはマグカップを支持して、それを使用前に予熱するようになっていてもよい。
【００５１】
前述したように、飲料ユニット２は、一般に、プラットフォーム１の第１の側縁部１’に隣接するハウジング９内で上方へ延びる。起泡装置８は、一般に、第１の側縁部１’と反対側のプラットフォーム１の第２の側縁部１”に隣接して配置され、それにより、ハウジング９およびプラットフォーム１は、一般に、起泡装置８を支持する断面がＬ形状を形成する。
【００５２】
また、飲料調製機はマグカップを支持するための支持装置６も含み、該支持装置６は、飲料出口９５の下側に配置されるとともに、液体を排出するための有孔プレートの形状を成す。浅いリザーバの形態を成す収集器６ａが、排出される液体を収集するために支持装置６の下側に配置される。収集器６ａは、液体を収集するために大きな容量を必要としない。殆どの場合、収集器６ａは、液滴やこぼれ落ちたものを収集しさえすればよい。
【００５３】
支持装置６および収集器６ａは、例えば収集器６ａを空にするためおよび／または洗浄するために、プラットフォーム１から一括して分離できる。
【００５４】
また、サービスユニット２０、３０はカップ支持装置２０を有し、該カップ支持装置２０は、支持装置６の上側に、更に小さいサイズのカップなどの受容体を出口９５の下側で支持するための第２の支持プレート２１を含む。主支持装置６と同様に、第２の支持プレート２１は、液体を随意的に支持装置６を介して特に収集器６ａへ排出するための有孔プレートを備える。第２の支持プレート２１は、図示のように出口９５と支持装置６との間の略水平な作用位置へ移動できるとともに、大きな容器を出口９５の下側で支持装置６上に配置できるように、作用位置から離れた略直立のあるいは垂直な休止位置に移動できる。第２の支持プレート２１は、特に、その作用位置からその休止位置に回転できるおよび／またはスライドできる。そのような第２の支持装置の想定し得る特徴の更なる詳細は、例えば欧州特許第１８６７２６０号明細書に開示されている。
【００５５】
同じ参照数字が一般に同じ要素を示す図２は、一般に、本発明に係る他の飲料調製機を示している。
【００５６】
図２に示される飲料調製機は、ミルク起泡装置を支持する側方プラットフォーム延在部が存在しない点を除き、図１の飲料調製機と同じ特徴を有する。
【００５７】
この飲料調製機は、容器３０を支持するカップ支持装置２０を含むサービスユニット２０、３０を受けるためのシート５を有し、容器３０は、抽出チャンバを有する浸出ユニットの下側で使用済みカプセルを収集するための格納空間を形成するキャビティ３０’を有する。
【００５８】
容器３０は、該容器３０を支持するリザーバ２２に回動可能に取り付けられるカップ支持部材２１を含むカップ支持装置２０に組み付けられてもよい。支持部材２１は、支持部材２１の下方への回転を阻止して、支持部材２１を水平位置で固定するために、リザーバ２２の前面に対して支持部材と共に回転できる、ストッパ部材２４に組み付けられ、あるいは該ストッパ部材２４と一体を成す。
【００５９】
容器３０は排出穴を伴う底部を有してもよく、それにより、リザーバ２２は、この底部から排出穴を介してリザーバ２２へ排出される液体を収集することができる。カップ支持装置２０および該支持装置上に載置する容器３０は、シート５に対して一括して挿脱されてもよい。
【００６０】
また、容器３０は、参照することにより本願に組み込まれる国際公開第２００９／０７４５５９号に更に詳しく記載されるように、使用済みカプセルの蓄積による詰まりを防止するために使用される開口３３を後側直立壁に有する。
【００６１】
また、図２に示されるように、支持装置６を支持する収集器６ａは、機械的なコネクタ４を介して、プラットフォーム１に取り外し可能に組み付けられてもよい。
【００６２】
サービスユニット２０、３０は、水などの廃棄飲料前駆液体をリザーバ２２内に収集し、随意的に事前小分けカプセル内に収容される使用済み飲料用香料、特に挽いたコーヒーなどの廃棄飲料前駆固体を使用済み原材料容器３０内に収集し、および、飲料分配出口からの液滴などの廃棄飲料をカップ支持体２１の液体排出溝配列を介してリザーバ２２内に収集するための構造を備える。
【００６３】
図１に示される飲料調製機は、シート５内に保持されてサービスユニット２０、３０およびシート５の協働部５１、５２、５３４、５３５と関連付けられるロック装置５３を含む、機械的ロック構造５０を有する。
【００６４】
図３ａ〜図４ｃは本発明のこの態様を更に詳しく示している。特に、図４ａ〜図４ｃは、サービスユニット２０、３０と抽出チャンバ１４を有する浸出ユニット１３の形態を成す原材料ホルダとを組み合わせた状態での、図３ａ〜図３ｃのそれぞれに示される機械的ロック装置のそれぞれの位置における、機械的ロック装置５３の正面図を示している。
【００６５】
飲料調製機は、原材料カプセルを受け入れるための原材料チャンバ１４を画定する固定前部１３２および可動後部１３１を伴う浸出ユニット１３を有する。チャンバ１４は、液体注入ライン１５および飲料出口９５と流体接続している。浸出ユニット１３は、原材料チャンバ１４が開放している図３ｂに示されるような移送状態と、チャンバ１４が閉じられている図３ａに示されるような処理状態とをとる。チャンバ１４は、浸出ユニット１３の前部１３２と後部１３１とを離間させおよび近づけることによって開閉される。具体的には、後部１３１が移動可能な第１の部分を形成し、前部１３２が浸出ユニット１３の固定された第２の部分を形成する。ハンドル１１は、図１および図２に示されるように、浸出ユニット１３を手動で開閉するために設けることができる。
【００６６】
そのような浸出ユニット開閉機構は、原材料カプセルの挿入、抽出、および、除去と共に、例えば、欧州特許第１６４６３０５号明細書、欧州特許第１７５７２１２号明細書、欧州特許第１８５９７１３号明細書、欧州特許第１８５９７１４号明細書、欧州特許第２１０３２３６号明細書、欧州特許第２１１９３８５号明細書、国際公開第２００９／０４３６３０号、および、国際公開第２００９／１３００９９号に更に詳しく記載されており、それらの内容は参照することにより本願に組み込まれる。
【００６７】
また、図示の飲料調製機は、サービスユニット２０、３０が収集位置にないときに任意の飲料の調製を機械的に防止するための、ロック装置５３を伴う機械的ロック構造５０を備える。特に、機械的ロック装置５３は、図３ｃに示されるようにサービスユニット２０、３０が収集位置にないときに原材料チャンバ１４の閉塞を防止するように、および／または、図３ａに示されるように原材料チャンバ１４がその開放状態をとらないときにサービスユニット２０、３０の取り外しを防止するように構成されてもよい。
【００６８】
浸出ユニット１３がハンドルを用いて手動で開閉されるときに、ロック構造５０のロック装置５３は、サービスユニット２０、３０の位置に応じて浸出ユニットおよびハンドルをブロックし、または解放する。
【００６９】
機械的ロック構造５０は、浸出ユニット１３の移動可能な後部１３１と関連付けられる第１のカム５１、例えば溝と、サービスユニット２０、３０と関連付けられる第２のカム５２、例えば溝と、カム５１、５２と関連付けられるカム従動子５３１ａ、５３２ａを有するロック装置５３とを備える。カム従動子５３１ａは、移動可能な第１の部分１３１のカム５１を含む協働する（一体の）リンク部材を介して浸出ユニット１３の移動可能な第１の部分１３１に連結される第１のリンク部材を形成する。カム従動子５３２ａは、サービスユニット２０、３０のカム５２を含む協働する（一体の）リンク部材を介してサービスユニット２０、３０に連結されまたは連結可能な第２のリンク部材を形成する。
【００７０】
したがって、ロック装置５３は、シート５の軸線５３’周りに回動できる一対のまたは接続されたアーム５３１、５３２を有する。各アーム５３１、５３２は、例えば一般にピンの形態を成すリンク部材５３１ａ、５３２ａを有し、これらの部材は、カム従動子として、例えばそのようなピンと協働する溝の形態を成すカム５１、５２と係合する。回動軸線５３’は、該軸線５３’周りの要素５３の回動と、シート５の軸線５３’の僅かな並進、特に略水平方向の並進とを可能にするために、飲料調製機のシート５の略楕円形の保持開口（図示せず）内へ挿入される。
【００７１】
第１のリンク部材５３１ａは、原材料ホルダ１３をその処理状態（図３ａおよび図４ａ）からその移送状態（図３ｂおよび図４ｂ）に、及びその逆に遷移させることによって第１および第２のリンク部材５３１ａ、５３２ａの動きが引き起こされるように、原材料ホルダ１３に機械的に連結される。第２のリンク部材５３２ａは、サービスユニット２０、３０をシート５内のその作用位置（図３ａ）におよび該作用位置から移動させることによって第１および第２のリンク部材の動きが引き起こされるように、サービスユニット２０、３０に機械的に連結され、または連結可能である。
【００７２】
図３ａおよび図４ａは、抽出チャンバ１４が閉塞状態をとるとき、すなわち、浸出ユニット１３の前後部１３１、１３２が互いに押し付けられて処理状態にあるときのロック構造５０を示している。この状態では、カプセルが抽出チャンバ１４内に存在する場合には、飲料調製機が飲料を調製できる状態にある。そのような状態では、サービスユニット２０、３０がシート５から取り外されるべきではない。そのような取り外しを防止するために、ロック装置５３は、そのアーム５３２の部材５３２ａがサービスユニット２０、３０と関連付けられるカム５２と完全に係合される。ユーザがサービスユニット２０、３０を引き出す場合には、その他方のアーム５３１の部材５３１ａがカム５１と係合され、且つその回動軸線５３’がシート５の対応する開口に係合されるロック装置５３は、その回動が防止されるため、サービスユニット２０、３０の取り外しを防止する。
【００７３】
したがって、本発明によれば、ロック装置５３は、浸出ユニット１３の状態を機械的に検出して、浸出ユニット１３がその処理状態にあるときに、特に浸出ユニット１３がその移送状態から外れているときに、サービスユニット２０、３０のシート５からの取り外しを機械的に防止する。
【００７４】
３ｂおよび図４ｂは、抽出チャンバ１４の移送状態を示している。すなわち、浸出ユニット１３の前後部１３１、１３２が離間される。この状態では、飲料調製機が飲料を調製するための準備状態にない。そのような状態では、カプセルを浸出チャンバ１４内に挿入することができ、または、カプセルを浸出チャンバから除去することができる。また、この非作用状態では、サービスユニット２０、３０をシート５から取り外すことができる。図３ｂおよび４ｂは、したがって移送状態を示している。
【００７５】
ロック装置５３は、そのアーム５３１の部材５３１ａが浸出ユニット１３と関連付けられるカム５１の上方へ駆動される。また、アーム５３２の部材５３２ａがサービスユニット２０、３０と関連付けられるカム５２から離脱される。ユーザがサービスユニット２０、３０を引き出す場合、ロック装置５３は、シート５からのユニット２０、３０の取り外しをもはや阻止しない。この場合、ロック構造５０は、図３ｃおよび図４ｃに示される状態に遷移される。
【００７６】
逆に、サービスユニット２０、３０をシート５から引き出す代わりに浸出ユニット１３の後部１３１が前部１３２に移動される場合、ロック装置５３は、そのアーム５３２および部材５３２ａがサービスユニット２０、３０のカム５２と再び係合する状態で、軸線５３’周りに図３ａおよび図４ａに示される状態に回動される。
【００７７】
図３ｃおよび図４ｃは、抽出チャンバ１４がその開放状態でブロックされた状態、すなわち、浸出ユニット１３の前後部１３１、１３２が離間されて移送状態にあり、結合されることが防止された状態でのサービスユニット２０、３０の取り外しを示している。この状態において、飲料調製機は、飲料を調製するための準備状態にはなく、整備状態、例えば、収集された水と挽いたコーヒーなどの固体原材料とをサービスユニット２０、３０から取り除いて空にする状態にある。
【００７８】
この状態において、ロック装置５３は、浸出チャンバ１４の閉塞を防止するためのブロック位置に至らされている。アーム５３１の部材５３１ａがカム５１の上方へ駆動されてカムのロック端５１ａに至らされる。ロック端５１ａは、カム５１内を略上方へ延びて方向を変化させる。また、アーム５３２は、部材５３２ａと反対側の固定部材５３２ｂを有する。固定部材５３２ｂは、シート５のリテーナ５３４上に該リテーナに抗して固定される。固定部材５３２ｂをリテーナ５３４に駆動させるために、サービスユニット２０、３０は案内部材５３５、例えば突出部を有し、案内部材５３５は、サービスユニット２０、３０がシート５から引き出されるときの案内部材５３５の通過中に、ロック装置５３をアーム５３２を介して案内する。アーム５３２を支持面５３４に駆動させることにより、回動軸線５３’が駆動部材５３５によって僅かに前方へ変位される。この状態において、ロック装置５３は、支持面５３４と、ロック端５１ａと、軸線５３’を受けるためのシート５の楕円形の開口との間でロックされる。特に、ロック装置５３は、浸出ユニット１３の開放した後部１３１を塞ぐ反時計回りの回動が防止され、したがって、シート５内においてサービスユニット２０、３０をその通常の作用位置から取り外している際に飲料調製が防止される。
【００７９】
したがって、本発明によれば、ロック装置５３は、サービスユニット２０、３０の位置を機械的に検出して、サービスユニット２０、３０がその作用位置から外れるとき、特にサービスユニットがシート５から取り外されるときに、原材料ホルダ１３がその処理状態をとることを機械的に防止するようになっている。
【００８０】
一般的に言えば、飲料調製機は、原材料ホルダ１３がその処理状態でないときに、原材料の処理のために必要な１つ以上の構成要素の動作を停止させるように構成されてもよい。そのような状況において、飲料調製機は、水などの液体を原材料に通して圧送するためのポンプの動作を停止させてもよい。
【００８１】
サービスユニット２０、３０がその元の作用位置に挿入されると、サービスユニット２０、３０の案内部材５３５は、ロック装置５３の部材５３２ａと接触して、部材５３２ｂをリテーナ５３４から押し離し、図３ｂおよび図４ｂに示される状態に至らせる。そのような離脱を可能にするために、案内部材５３５の上端は、部材５３２ｂが支持面５３４上に載置しているときの部材５３２ａの下端よりも僅かに高い。このように、案内部材５３５は、ロック装置５３の下側を通過する際に、ロック装置５３を両方向で固定状態および非固定状態にするために使用される。
【００８２】
図３ｃおよび図４ｃに示されるその固定位置で、ロック装置５３は、ロック端５１ａと、リテーナ５３４と、軸線５３’を保持するためのシート５の楕円形の開口との間で緩く配置されてもよく、あるいは、ロック装置５３がこれらの間で押され、それにより、サービスユニット２０、３０が取り外される際に飲料調製機が移動される場合に、部材５３がこの位置で適切に固定されてもよい。ロック装置５３がこの位置で押されるように構成される場合には、少なくとも一方または両方のアーム５３１、５３２が僅かに弾力性を有してもよい。
【００８３】
第１および第２のリンク部材５３１ａ、５３２ａは、アーム５３１、５３２を介して通常強固に相互接続される。固定部材５３２ｂおよび軸線５３’を含むロック装置５３を、第１および第２のリンク部材５３１ａ、５３２ａと一体の単一構成要素から形成することができる。例えば、ロック装置は、成形または機械加工によって一体に形成される。
【００８４】
変形例では、無論、例えば国際公開第２００９／０４３６３０号に教示されるように、浸出チャンバを開閉するために前部が後部に移動され、且つ前部が後部から離間される浸出ユニットに関して、このタイプの形態を設けることができる。この場合、ロック装置は、浸出ユニットの移動可能な前部と関連付けられるカムに追従する。
【図１】
2013517026.tif 000003
【図２】
2013517026.tif 000004
【図３ａ】
2013517026.tif 000005
【図３ｂ】
2013517026.tif 000006
【図３ｃ】
2013517026.tif 000007
【図４ａ】
2013517026.tif 000008
【図４ｂ】
2013517026.tif 000009
【図４ｃ】
2013517026.tif 000010
【国際調査報告】
2013517026.tif 000011
2013517026.tif 000012